(57)【要約】  ハンズフリー・プレス・トーク方式の機能のための装置は、前もってセットされた可聴信号、センサまたはスイッチの予め決められた動き、空気圧などの少なくとも１つにより動作するプレス・トーク方式のセンサまたはスイッチを含む。この装置はプレス・トーク方式のセンサまたはスイッチからの信号に応じて通信装置の動作を制御する手段を含んでもよい。
2007535273.tif 000002
【特許請求の範囲】
【請求項１】
ハンズフリー・プレス・トーク方式の機能のための装置であって、
前もってセットされた可聴信号、センサまたはスイッチの予め決められた動き、または空気圧の少なくとも１つにより動作するプレス・トーク方式のセンサまたはスイッチと、
前記プレス・トーク方式のセンサまたはスイッチからの信号に応答して通信装置の動作を制御する手段と、
を含む、プレス・トーク方式の機能のための装置。
【請求項２】
前記プレス・トーク方式のセンサまたはスイッチは、可聴信号検出器、加速度計、および感圧スイッチの少なくとも１つを含む、請求項１記載のプレス・トーク方式の機能のための装置。
【請求項３】
前記プレス・トーク方式のセンサまたはスイッチは傾きセンサを含み、所定の継続時間前記傾きセンサが或る標準化された角度から予め決められた角度より大きく傾いたことに応答して前記通信装置の送信モードを起動する、請求項１記載のプレス・トーク方式の機能のための装置。
【請求項４】
選択された時間遅れの後に音声信号を検出したことまたは前記傾きセンサが前記予め決められた角度より大きく傾いたことを検出したことの少なくとも１つに応答して前記通信装置を送信モードに保持するための手段を更に含む、請求項３記載のプレス・トーク方式の機能のための装置。
【請求項５】
選択された時間遅れの後に音声信号を検出したことまたは前記傾きセンサが予め決められた角度より大きく傾いたことを検出したことの少なくとも１つがないことに応答して前記通信装置を受信モードまたは待機モードの一方に切り替えるための手段を更に含む、請求項３記載のプレス・トーク方式の機能のための装置。
【請求項６】
前記プレス・トーク方式のセンサまたはスイッチは可聴信号検出器を含み、前もってセットされた可聴信号を前記可聴信号検出器が検出したことに応答して前記通信装置の送信モードを起動する、請求項１記載のプレス・トーク方式の機能のための装置。
【請求項７】
選択された時間遅れの後に音声信号を検出したことまたは前もってセットされた可聴信号を検出したことの少なくとも１つに応答して前記通信装置を送信モードに保持するための手段を更に備える、請求項６記載のプレス・トーク方式の機能のための装置。
【請求項８】
選択された時間遅れの後に音声信号を検出したことまたは前もってセットされた可聴信号を検出したことの少なくとも１つがないことに応答して前記通信装置を受信モードまたは待機モードの一方に切り替えるための手段を更に含む、請求項６記載のプレス・トーク方式の機能のための装置。
【請求項９】
前記プレス・トーク方式のセンサまたはスイッチは感圧スイッチを含み、前もってセットされた空気圧を前記感圧スイッチが受けたことに応じて前記通信装置の送信モードを起動する、請求項１記載のプレス・トーク方式の機能のための装置。
【請求項１０】
選択された時間遅れの後に音声信号を検出したことまたは前もってセットされた空気圧を検出したことの少なくとも１つに応答して前記通信装置を送信モードに保持するための手段を更に備える、請求項９記載のプレス・トーク方式の機能性のための装置。
【請求項１１】
選択された時間遅れの後に音声信号を検出したことまたは前もってセットされた空気圧を検出したことの少なくとも１つがないことに応答して前記通信装置を受信モードまたは待機モードの一方に切り替えるための手段を更に含む、請求項９記載のプレス・トーク方式の機能のための装置。
【請求項１２】
前記通信装置は無線通信装置である、請求項１記載のプレス・トーク方式の機能のための装置。
【請求項１３】
前記通信装置は、ラジオ、携帯電話、コードレス電話、パーソナル・ディジタル・アシスタント、およびコンピュータの１つである、請求項１記載のプレス・トーク方式の機能のための装置。
【請求項１４】
ヘッドセットを更に含み、前記プレス・トーク方式のセンサまたはスイッチを前記ヘッドセットに取り付ける、請求項１記載のプレス・トーク方式の機能のための装置。
【請求項１５】
ハンズフリー・プレス・トーク方式の機能を含む通信装置であって、
前もってセットされた可聴信号、予め決められた動き、または空気圧の少なくとも１つにより動作するプレス・トーク方式のセンサまたはスイッチと、
前記プレス・トーク方式のセンサまたはスイッチからの信号に応答して前記通信装置の動作を制御するプロセッサと、
を含む通信装置。
【請求項１６】
前記プレス・トーク方式のセンサまたはスイッチは、可聴信号検出器、加速度計、および感圧スイッチの少なくとも１つを含む、請求項１５記載の通信装置。
【請求項１７】
前記プレス・トーク方式のセンサまたはスイッチは傾きセンサを含み、所定の継続時間前記傾きセンサが或る標準化された角度から予め決められた角度より大きく傾いたことに応答して前記通信装置の送信モードを起動する、請求項１５記載の通信装置。
【請求項１８】
選択された時間遅れの後に音声信号を検出したことまたは前記傾きセンサが前記予め決められた角度より大きく傾いたことを検出したことの少なくとも１つに応答して前記通信装置を送信モードに保持するための手段を更に含む、請求項１７記載の通信装置。
【請求項１９】
前記プレス・トーク方式のセンサまたはスイッチは可聴信号検出器を含み、前もってセットされた可聴信号を前記可聴信号検出器が検出したことに応答して前記通信装置の送信モードを起動する、請求項１５記載の通信装置。
【請求項２０】
前記プレス・トーク方式のセンサまたはスイッチは感圧スイッチを含み、前もってセットされた空気圧を前記感圧スイッチが受けたことに応答して前記通信装置の送信モードを起動する、請求項１５記載の通信装置。
【請求項２１】
ヘッドセットを更に含み、前記プレス・トーク方式のセンサまたはスイッチを前記ヘッドセットに取り付ける、請求項１５記載の通信装置。
【請求項２２】
ハンズフリー・プレス・トーク方式の機能のための方法であって、
前もってセットされた可聴信号、予め決められた動き、または空気圧の少なくとも１つを検出することと、
前記前もってセットされた可聴信号、予め決められた動き、または空気圧の少なくとも１つがあるかないかを検出したことに応答して前記通信装置の動作を制御することと、
を含む、プレス・トーク方式の機能のための方法。
【請求項２３】
前記前もってセットされた可聴信号を検出することは、音声信号、静的信号、白色雑音信号、または予め定義された音や語や語または数のグループの１つを検出することを含む、請求項２２記載のプレス・トーク方式の機能のための方法。
【請求項２４】
前記前もってセットされた可聴信号を検出したことに応じて前記通信装置の送信モードを起動することを更に含む、請求項２２記載のプレス・トーク方式の機能のための方法。
【請求項２５】
予め決められた時間中に傾きセンサが或る標準化された角度から予め決められた角度より大きく傾いたことを検出することを更に含む、請求項２２記載のプレス・トーク方式の機能のための方法。
【請求項２６】
所定の継続時間前記傾きセンサが前記標準化された角度から前記予め決められた角度より大きく傾いたことを検出したことに応答して前記通信装置の送信モードを起動することを更に含む、請求項２５記載のプレス・トーク方式の機能のための方法。
【請求項２７】
選択された時間遅れの後に音声信号を検出したことまたは前記傾きセンサが前記予め決められた角度より大きく傾いたことを検出したことの少なくとも１つに応答して前記通信装置を送信モードに保持することと、
前記選択された時間遅れの後に音声信号を検出したことまたは前記傾きセンサが前記予め決められた角度より大きく傾いたことを検出したことの少なくとも１つがないことに応答して前記通信装置を受信モードまたは待機モードの一方に切り替えまたは保持することと、
を更に含む、請求項２５記載のプレス・トーク方式の機能のための方法。
【請求項２８】
前もってセットされた空気圧より大きな空気圧を検出することを更に含む、請求項２２記載のプレス・トーク方式の機能のための方法。
【請求項２９】
前記前もってセットされた空気圧より大きな空気圧を検出したことに応じて前記通信装置内の送信モードを起動することを更に含む、請求項２８記載のプレス・トーク方式の機能のための方法。
【請求項３０】
選択された時間遅れの後に音声信号を検出したことまたは前記前もってセットされた空気圧を検出したことの少なくとも１つに応答して前記通信装置を送信モードに保持することと、
前記選択された時間遅れの後に音声信号または前記前もってセットされた空気圧の少なくとも１つがないことに応答して前記通信装置を受信モードまたは待機モードの一方に切り替えまたは保持することと、
を更に含む、請求項２９記載のプレス・トーク方式の機能のための方法。
【請求項３１】
ハンズフリー・プレス・トーク方式の機能のための装置を製作する方法であって、
前もってセットされた可聴信号、センサまたはスイッチの予め決められた動き、または空気圧の少なくとも１つにより動作するプレス・トーク方式のセンサまたはスイッチを形成することと、
前記プレス・トーク方式のセンサまたはスイッチからの信号に応答して通信装置の動作を制御する手段を形成することと、
を含む、装置を製作する方法。
【請求項３２】
前記プレス・トーク方式のセンサまたはスイッチを形成することは、可聴信号検出器、加速度計、および空気感圧スイッチの少なくとも１つを形成することを含む、請求項３１記載の装置を製作する方法。
【請求項３３】
前記プレス・トーク方式のセンサまたはスイッチを形成することは、
傾きセンサを形成することと、
前記傾きセンサを適応させて、所定の継続時間前記傾きセンサが或る標準化された角度から予め決められた角度より大きく傾いたことに応答して前記通信装置の送信モードを起動させることと、
を含む、請求項３１記載の装置を製作する方法。
【請求項３４】
前記プレス・トーク方式のセンサまたはスイッチを形成することは、
可聴信号検出器を形成することと、
前記可聴信号検出器を適応させて、前もってセットされた可聴信号を前記可聴信号検出器が検出したことに応答して前記通信装置の送信モードを起動させることと、
を含む請求項３１記載の装置を製作する方法。
【請求項３５】
前記プレス・トーク方式のセンサまたはスイッチを形成することは、
感圧スイッチを形成することと、
前記感圧スイッチを適応させて、前もってセットされた空気圧を前記感圧スイッチが検出したことに応答して前記通信装置の送信モードを起動させることと、
を含む、請求項３１記載の装置を製作する方法。
【請求項３６】
ヘッドセットを形成することと、
前記ヘッドセット内に前記プレス・トーク方式のセンサまたはスイッチを取り付けることと、
を更に含む、請求項３１記載の装置を製作する方法。
【請求項３７】
或る方法を実行するためのコンピュータが実行可能な命令を有するコンピュータが読み取り可能な媒体であって、
前もってセットされた可聴信号、予め決められた動き、または空気圧の少なくとも１つを検出することと、
前記前もってセットされた可聴信号、予め決められた動き、または空気圧の少なくとも１つがあるかないかを検出したことに応答して通信装置の動作を制御することと、
を含む、或る方法を実行するためのコンピュータが実行可能な命令を有するコンピュータが読み取り可能な媒体。
【請求項３８】
前記前もってセットされた可聴信号を検出することは、音声信号、静的信号、白色雑音信号、または予め定義された音や語や語または数のグループの１つを検出することを含む、請求項３７記載の方法を実行するためのコンピュータが実行可能な命令を有するコンピュータが読み取り可能な媒体。
【請求項３９】
前記前もってセットされた可聴信号を検出したことに応答して前記通信装置の送信モードを起動することを更に含む、請求項３７記載の方法を実行するためのコンピュータが実行可能な命令を有するコンピュータが読み取り可能な媒体。
【請求項４０】
所定の継続時間傾きセンサが或る標準化された角度から予め決められた角度より大きく傾いたことを検出することを更に含む、請求項３７記載の方法を実行するためのコンピュータが実行可能な命令を有するコンピュータが読み取り可能な媒体。
【請求項４１】
所定の継続時間前記傾きセンサが前記標準化された角度から前記予め決められた角度より大きく傾いたことを検出したことに応答して前記通信装置の送信モードを起動することを更に含む、請求項４０記載の方法を実行するためのコンピュータが実行可能な命令を有するコンピュータが読み取り可能な媒体。
【請求項４２】
選択された時間遅れの後に音声信号を検出したことまたは前記傾きセンサが前記予め決められた角度より大きく傾いたことを検出したことの少なくとも１つに応答して前記通信装置を送信モードに保持することと、
前記選択された時間遅れの後に音声信号を検出したことまたは前記傾きセンサが前記予め決められた角度より大きく傾いたことを検出したことの少なくとも１つがないことに応答して前記通信装置を受信モードまたは待機モードの一方に切り替えまたは保持することと、
を更に含む、請求項４０記載の方法を実行するためのコンピュータが実行可能な命令を有するコンピュータが読み取り可能な媒体。
【請求項４３】
前もってセットされた空気圧より大きな空気圧を検出することを更に含む、請求項３７記載の方法を実行するためのコンピュータが実行可能な命令を有するコンピュータが読み取り可能な媒体。
【請求項４４】
前記前もってセットされた空気圧より大きな空気圧を検出したことに応答して前記通信装置の送信モードを起動することを更に含む、請求項４３記載の方法を実行するためのコンピュータが実行可能な命令を有するコンピュータが読み取り可能な媒体。
【請求項４５】
選択された時間遅れの後に音声信号を検出したことまたは前記前もってセットされた空気圧を検出したことの少なくとも１つに応答して前記通信装置を前記送信モードに保持することと、
前記選択された時間遅れの後に音声信号または前記前もってセットされた空気圧の少なくとも１つがないことに応答して前記通信装置を受信モードまたは待機モードの一方に切り替えまたは保持することと、
を更に含む、請求項４４記載の方法を実行するためのコンピュータが実行可能な命令を有するコンピュータが読み取り可能な媒体。
【発明の詳細な説明】
【技術分野】
【０００１】
本発明は通信装置に関するもので、特に、通信装置に関連するハンズフリー・プレス・トーク方式の機能のための装置および方法に関するものである。
【背景技術】
【０００２】
ウォーキー・トーキーまたはプレス・トーク方式の通信サービスは、通信標準がかかる機能またはサービスを提供するよう適応するにつれて、通信サービス・プロバイダから広く利用できるようになった。ウォーキー・トーキー通信サービスは低コストなどの多くの利点を有する。なぜなら、かかるサービスは一般に月極め料金が定額であって、ユーザの特定の加入計画により割り当てられるユーザの月極め使用時間に対して料金が課されるものではないからである。更に、このサービスでは一般に電話番号をダイアルする必要がなく、また通常は複数の話者が同時に互いに話をすることができる。
【発明の開示】
【発明が解決しようとする課題】
【０００３】
これらのサービスはプレス・トーク方式（ＰＴＴ）の機能を用いる。すなわち、ユーザは、話しかけモードすなわち送信モードにするにはボタンを押して保持しなければならないし、受信モードすなわち聴取モードに切り替えるにはボタンを離さなければならない。したがって、双方向の会話を行うには、ユーザはＰＴＴボタンを絶えず押したり離したりしなければならない。特に、ユーザがかかる行動を取ることができない活動、またはユーザが両手を使わなければならない活動を行っている場合は、これは厄介でありまた不便である。
【課題を解決するための手段】
【０００４】
本発明の或る実施の形態では、ハンズフリー・プレス・トーク方式の機能のための装置は、前もってセットされた可聴信号、センサまたはスイッチの予め決められた動き、または空気圧の少なくとも１つにより動作するプレス・トーク方式のセンサまたはスイッチを含んでよい。またこの装置は、プレス・トーク方式のセンサまたはスイッチからの信号に応じて通信装置の動作を制御する手段を含んでよい。本発明の別の実施の形態では、ハンズフリー・プレス・トーク方式の機能を含む通信装置は、前もってセットされた可聴信号、予め決められた動き、または空気圧の少なくとも１つにより動作するプレス・トーク方式のセンサまたはスイッチを含んでよい。また通信装置は、プレス・トーク方式のセンサまたはスイッチからの信号に応じて通信装置の動作を制御するプロセッサを含んでよい。
【０００５】
本発明の別の実施の形態では、ハンズフリー・プレス・トーク方式の機能のための方法は、前もってセットされた可聴信号、予め決められた動き、または空気圧の少なくとも１つを検出することを含んでよい。またこの方法は、前もってセットされた可聴信号、予め決められた動き、または空気圧の少なくとも１つがあるかないかを検出したことに応じて通信装置の動作を制御することを含んでよい。本発明の別の実施の形態では、ハンズフリー・プレス・トーク方式の機能のための装置を製作する方法は、前もってセットされた可聴信号、センサまたはスイッチの予め決められた動き、または空気圧の少なくとも１つにより動作するプレス・トーク方式のセンサまたはスイッチを提供することを含んでよい。またこの方法は、プレス・トーク方式のセンサまたはスイッチからの信号に応じて通信装置の動作を制御する手段を提供することを含んでよい。
【０００６】
本発明の別の実施の形態では、或る方法を実行するためのコンピュータが実行可能な命令を有するコンピュータが読み取り可能な媒体は、前もってセットされた可聴信号、予め決められた動き、または空気圧の少なくとも１つを検出することを含んでよい。この方法は、前もってセットされた可聴信号、予め決められた動き、または空気圧の少なくとも１つがあるかないかを検出したことに応じて通信装置の動作を制御することも含んでよい。
【実施例】
【０００７】
好ましい実施の形態の以下の詳細な説明は、本発明の特定の実施の形態を示す添付の図面を参照する。異なる構造および動作を有する他の実施の形態は本発明の範囲から逸れない。
【０００８】
図１は、本発明の或る実施の形態に係るハンズフリー・プレス・トーク方式（ＰＴＴ）の装置１０２または機能を含む通信装置１００の一例の略ブロック図である。ＰＴＴ装置１０２は、前もってセットされた可聴信号、センサまたはスイッチの予め決められた動き、または空気圧の少なくとも１つにより動作するＰＴＴスイッチまたはセンサでよい。ＰＴＴ装置１０２（センサまたはスイッチ）の例として、限定されるものではないが、可聴信号検出器、加速度計、傾きセンサ、感圧スイッチまたは空気感圧スイッチ、または同様の装置がある。加速度計または傾きセンサの例として、Ｋｉｏｎｉｘ（Ｒ）ｍｏｄｅｌ  ＫＸＧ２０加速度計、Ａｎａｌｏｇ  Ｄｅｖｉｃｅｓ（Ｒ）ＡＤＸＬ０５加速度計、Ｍｏｔｏｒｏｌａ（Ｒ）ＭＭＡ１２６０Ｄ加速度計、電解傾きセンサ（ｅｌｅｃｔｒｏｌｙｔｉｃ  ｔｉｌｔ  ｓｅｎｓｏｒ）などがある。感圧スイッチまたは空気感圧スイッチの一例は、カリフォルニア州サンノゼのＩｎｔｐａｘ製のマイクロ電磁システム（ＭＥＭＳ）圧力センサ、または同様のセンサである。
【０００９】
通信装置１００はプロセッサおよび制御論理ユニット１０４を含んでよい。ＰＰＴセンサまたはスイッチ１０２はプロセッサおよび制御論理ユニット１０４に結合されて通信装置１００の動作を制御し、または通信装置１００に信号を送ってその動作を制御してよい。これについては後で詳細に説明する。プロセッサおよび制御論理ユニット１０４はマイクロプロセッサなどでよい。プロセッサおよび制御論理ユニット１０４はコンピュータが実行可能なまたはコンピュータが読み取り可能な命令を含むデータ構造またはソフトウエア・プログラム１０６を含んで通信装置１００とその構成要素の動作を制御してよい。データ構造またはソフトウエア・プログラム１０６は、後で詳細に説明するＰＴＴ機能を行うためのコンピュータが実行可能な命令を含んでよい。またプロセッサおよび制御論理ユニット１０４はブラウザ１０８および音声認識装置１１０を含んでよい。
【００１０】
通信装置１００は、電話またはその他の通信を開始しまた行うことを含む通信装置１００の制御動作を容易にするためのオペレータすなわちユーザ・インターフェース１１２を含んでよい。ユーザ・インターフェース１１２は、通信装置１００の状態および動作について加入者すなわちユーザに可視信号を提供するディスプレイ１１４を含んでよい。ディスプレイ１１４はカラー画像を提示する機能を有する液晶ディスプレイ（ＬＣＤ）などでよい。ディスプレイ１１４は、画像、テキスト、数字、文字、グラフィカル・ユーザ・インターフェース（ＧＵＩ）などの形で情報をユーザすなわちオペレータに提供してよい。またユーザ・インターフェース１１２はキーパッド１１６と、ジョイスティックなどの位置指示装置を含むファンクション・キーまたはボタン１１８とを含んでよい。キーパッド１１６とファンクション・ボタンおよびジョイスティック１１８とにより、ユーザは通信装置１００にコマンドを送って、電話番号をダイアルし、呼を開始しまた終了し、他の通信を確立する（インターネットにアクセスする、電子メールやテキスト・メッセージを送信および受信するなど）ことができる。またキーパッド１１６とファンクション・ボタンおよびジョイスティック１１８とを用いて通信装置１００の他の動作を制御する（例えば、ＰＴＴ機能または特徴などの特殊な機能を可能にする）ことができる。
【００１１】
ユーザ・インターフェース１０４はマイクロホン１２０およびスピーカ１２２も含んでよい。マイクロホン１２０はユーザまたは音響源（ラジオ、テレビジョンなど）からオーディオ信号または音響信号を受ける。マイクロホン１２０はオーディオ信号または音響信号を電気信号に変換する。マイクロホン１２０はプロセッサおよび論理ユニット１０４に接続され、プロセッサおよび論理ユニット１１２は電気信号をベースバンド通信信号に変換する。プロセッサおよび論理ユニット１０４は送信機１２２に接続され、送信機１２２は主プロセッサおよび論理ユニット１１２からのベースバンド信号を無線周波数（ＲＦ）信号に変換する。送信機１２２は、ＲＦ信号を通信媒体またはシステム１２６に送るためにアンテナ組立体１２４に接続される。
【００１２】
アンテナ組立体１２４は電波でＲＦ信号を受信し、またＲＦ信号を受信器１２８に転送する。受信器１２８はＲＦ信号をベースバンド信号に変換する。ベースバンド信号はプロセッサおよび論理ユニット１０４に与えられ、ユニット１０４はベースバンド信号を電気信号に変換する。プロセッサおよび論理ユニット１０４は電気信号をスピーカ１１８に送り、スピーカ１１８は電気信号をユーザが理解できるオーディオ信号に変換する。
【００１３】
電源１３０はプロセッサおよび論理ユニット１０４に接続されて、通信装置１００を動作させるための電力を供給する。電源１３０は再充電可能な電池などでよい。また通信装置１００は少なくとも１つのデータ記憶装置１３２を含んでよい。データ記憶装置１３２は電話番号のリストを記憶する。このリストの例としては、ユーザが入力して記憶した電話番号（例えば、記憶装置１３２の電話帳部分、ミスしまたは応答しなかった呼の電話番号、通信装置１００が掛けた電話番号など）を含んでよい。データ記憶装置１３２は、本発明の実施の形態に関して述べられる特殊な動作または機能を実行するためにコンピュータが実行可能なまたはコンピュータが使用可能な命令またはデータ構造（データ構造１０６など）を記憶するためのコンピュータが読み取り可能な媒体でよい。
【００１４】
通信装置１００は、本発明の実施の形態に係る通信システムまたは媒体１２６に関連して動作する。通信システムまたは媒体１２６は、移動体、無線、セルラ通信システム、または同様のシステムでよい。通信システム１２６は通信装置１００を別の通信ネットワーク１３４に、または公衆交換電話網１３６に結合する。
【００１５】
通信装置１００は、コードレス電話、セルラ電話、パーソナル・ディジタル・アシスタント（ＰＤＡ）、通報器、コンピュータ装置などでよく、任意の特定の通信標準（例えば、アドバンスト・モバイル・ホン・サービス（ＡＭＰＳ）、ディジタル・アドバンスト・モバイル・ホン・サービス（Ｄ−ＡＭＰＳ）、移動体通信用グローバル・システム（ＧＳＭ）、符号分割多元接続（ＣＤＭＡ）、時分割多元接続（ＴＤＭＡ）など）に特有なものではない。図１に示すレイアウトおよび設計は本発明を説明するためのものであって、本発明はいかなる特定の設計にも限定されるものではない。図１に示す通信装置１００は無線通信装置であるが、本発明は有線またはハード・ワイヤド通信装置およびシステムにも適用できる。
【００１６】
図２は、本発明の或る実施の形態に係るハンズフリー・プレス・トーク方式（ＰＴＴ）の動作または機能のための方法２００の流れ図である。方法２００の要素および特徴は通信装置１００およびＰＴＴセンサまたはスイッチ１０２により具現化しまたは実行してよい。ブロック２０２で、音声により作動するＰＴＴ機能が付勢される。ブロック２０４で、前もってセット（設定）された可聴信号または音声信号が検出されたかどうか判定する。前もってセットされた可聴信号または音声信号は、受けるとＰＴＴ機能を作動するであろう予め決められた音でよい。また前もってセットされた可聴信号または音声信号は、予め決められたキーワードまたは語、一連の数または語の組合せ、数、または音でよい。前もってセットされた可聴信号または音声信号は、図１のマイクロホン１２０および音声認識装置１１０と同様の通信装置に関連するマイクロホンおよび認識装置により、または図１のＰＴＴセンサまたはスイッチ１０２などの別個の可聴センサまたはスイッチにより受ける。ブロック２０４で前もってセットされた可聴信号または音声信号が検出されない場合は、方法２００はブロック２１０に進む。ブロック２１０で、通信装置は受信モードまたは待機モードのままでいる。ブロック２０４で前もってセットされた可聴信号または音声信号が検出された場合は、方法２００はブロック２０６に進む。
【００１７】
ブロック２０６で、前もってセットされた可聴信号または音声信号に応答して通信装置により送信モードが作動する。ブロック２０８で、選択された時間遅れの後に音声または前もってセットされた可聴信号が検出されたかどうか判定する。選択された時間遅れの後に音声または前もってセットされた可聴信号が検出された場合は、方法２００はブロック２０６に戻って、送信モードは起動したままである。選択された時間遅れの後に音声または前もってセットされた可聴信号が検出されない場合は、方法２００はブロック２１０に進む。ブロック２１０で、到着する信号を通信装置が受けるために受信モードまたは待機モードを起動する。前もってセットされた可聴信号または音声が検出されると方法２００はブロック２０４に戻り、付勢された音声ＰＴＴが非作動化されるかまたは通信装置がオフされるまでは、方法２００は上に述べたように進む。
【００１８】
図３は、本発明の別の実施の形態に係るハンズフリー・プレス・トーク方式（ＰＴＴ）の機能のための方法の流れ図である。方法３００の要素および特徴は図１の通信装置１００およびＰＴＴセンサまたはスイッチ１０２により具現化しまたは実行できる。ブロック３０２で、音声により作動するＰＴＴ機能を付勢する。ブロック３０４で、傾きセンサを標準化（ｎｏｒｍａｌｉｚｅｄ）しまたはゼロにしてよい。傾きセンサは、図１のＰＴＴセンサまたはスイッチ１０２に関して説明した傾きセンサと同じでよい。ブロック３０６で、所定の時間より長く傾きセンサが作動したか判定する。所定の時間より長く傾きセンサが作動しなかった場合は、方法２００はブロック３１２に進む。ブロック３１２で、所定の時間より長く傾きセンサが作動しなかったことに応答して通信装置は受信モードまたは待機モードのままでいる。ブロック３０６で、所定の時間より長く傾きセンサが作動した場合は、方法２００はブロック３０８に進む。ブロック３０８で、所定の時間より長く傾きセンサが作動したことに応答して通信装置は送信モードが起動される。傾きセンサが作動すると、所定の時間より長く標準角度（ｎｏｒｍａｌｉｚｅｄ  ａｎｇｌｅ）に対して傾きセンサが予め決められた角度より大きく傾いたことに応答して通信装置の送信モードは起動される。または、ブロック３０８で、すでに送信モードにあるときは通信装置は送信モードのままでいる。
【００１９】
ブロック３１０で、選択された時間遅れの後に、音声が検出されたか、または傾きセンサがまだ作動しているかまたは標準角度に対して予め決められた角度より大きく傾いているか、について判定を行う。音声が検出されたかまたは傾きセンサが作動している場合は、方法２００はブロック３０８に戻り、通信装置は送信モードのままでいる。ブロック３１０で選択された時間遅れの後に音声または傾きセンサが作動していない場合は、方法３００はブロック３１２に進む。ブロック３１２で、選択された時間遅れの後に音声または傾きセンサが作動していないことに応答して、通信装置は受信モードまたは待機モードに切り替えられる。所定の時間より長く傾きセンサが作動したかまたは予め決められた角度より大きく傾いたことに応答して方法３００はブロック３０６に戻り、方法３００は前に述べたように進む。
【００２０】
図４Ａは、本発明の或る実施の形態に係るヘッドセット４０２内に図のように取り付けられたハンズフリー・プレス・トーク方式の動作または機能のための装置４００の一例である。図４Ｂは、図４Ａのハンズフリー・プレス・トーク方式（ＰＴＴ）の装置４００の詳細な図である。ＰＴＴ装置４００は加速度計または傾きセンサでよく、図１のＰＴＴセンサ１０２について上に述べたまたは用いた方法３００に関連して動作する。前に説明したように、ＰＴＴ装置４００として用いてよい加速度計または傾きセンサの例として、Ｋｉｏｎｉｘ（Ｒ）ｍｏｄｅｌ  ＫＸＧ２０加速度計、Ａｎａｌｏｇ  Ｄｅｖｉｃｅｓ（Ｒ）ＡＤＸＬ０５加速度計、Ｍｏｔｏｒｏｌａ（Ｒ）ＭＭＡ１２６０Ｄ加速度計、電解傾きセンサなどがある。所定の時間すなわち継続時間より長い間、ヘッドセット４０２のユーザすなわち装着者４０４が、ゼロまたは標準角度から予め決められた角度より大きく頭を傾けると、ＰＴＴ装置４００または特徴は作動されて、通信装置はユーザ４０４が話す音声通信を送信する送信モードに切り替えられる。
【００２１】
例えば、ゼロまたは標準角度シータ（θ）を約４５度とする。図４Ｂに示すＸ方向およびＹ方向の傾きセンサ４００の出力は次式で表わすことができる。
すなわち、
Ｏ（Ｘ）＝ＫＦｇｃｏｓθ                  （１）
Ｏ（Ｙ）＝ＫＦｇｓｉｎθ                  （２）
ただし、Ｋは或る定数、Ｆｇは重力による力である。説明の目的でＫＦｇを１と仮定して、異なる角度シータθについての出力の例を次の表に示す。
2007535273.tif 000003
【００２２】
したがって、所定の時間または継続時間中に、ＰＴＴ装置４００（傾きセンサまたは加速度計）を約４５度の標準またはゼロの角度から約１０度以上傾けるとＰＴＴ機能が作動し、傾きセンサまたはＰＴＴ装置４００に結合されまたは関連する通信装置は送信モードになる。図ではヘッドセット４０２内に取り付けられているが、ＰＴＴ機能を容易にするものであればＰＴＴ装置４００は通信装置に関連する任意の付属品またはその他の構成要素内に設けてよい。
【００２３】
図５は、本発明の別の実施の形態に係るハンズフリー・プレス・トーク方式（ＰＴＴ）の機能のための方法５００の流れ図である。方法５００の要素および特徴は、図１の通信装置１００およびＰＴＴセンサまたはスイッチ１０２により具現化または実行できる。ブロック５０２でＰＴＴ機能が付勢される。ブロック５０４で、圧力スイッチまたは静的雑音スイッチ（ｓｔａｔｉｃ  ｎｏｉｓｅ  ｓｗｉｔｃｈ）が作動されているかどうか判定する。圧力スイッチまたは静的雑音スイッチは、ＰＴＴ機能を行うようにユーザがセンサに息を吹きかけるかまたは予め決められた音をたてることにより作動する。圧力スイッチまたは静的雑音スイッチは図１のＰＴＴセンサまたはスイッチ１０２に対応してよい。ブロック５０４で圧力スイッチまたは静的雑音スイッチが作動していなかった場合は、方法５００はブロック５１０に進み、通信装置は受信モードまたは待機モードを起動し、またはそのモードのままでよい。ブロック５０４で圧力スイッチまたは静的雑音スイッチが作動した場合は、方法２００はブロック５０６に進む。ブロック５０６で、空気圧が前もってセットされた空気圧より高いことを圧力スイッチが検出したことに応答して通信装置の送信モードが起動されまたは送信モードに切り替えられる。空気圧が前もってセットされた空気圧より高いことを検出したことに応答して関連する通信装置内の送信モードが起動される。
【００２４】
ブロック５０８で、選択された時間遅れの後に、音声が検出されたか、または前もってセットされた圧力より高い圧力を検出したことにより圧力スイッチまたは静的雑音スイッチが作動したか、について判定を行う。選択された時間遅れの後に音声が検出されたかまたはスイッチが作動した場合はこの方法はブロック５０６に戻り、通信装置は送信モードのままである。選択された時間遅れの後に音声が検出されないかまたはスイッチが作動しない場合は、方法２００はブロック５１０に進む。前に説明したように、ブロック５１０で通信装置は受信モードまたは待機モードで起動され、またはそのままでいる。ブロック５１０から、圧力スイッチまたは静的雑音スイッチが作動したことに応答して、方法５００はブロック５０４に戻る。次に、方法５００は前に説明したように進む。
【００２５】
図６は、本発明の別の実施の形態に係るヘッドセット６０２に図のように取り付けられたハンズフリー・プレス・トーク方式の動作または機能のための別の装置６００の一例である。装置６００は、方法５００に関連して用いられる圧力スイッチまたは静的雑音スイッチでよい。装置６００（圧力スイッチまたは静的雑音スイッチ）は、図１に関して説明したＰＴＴセンサまたはスイッチ１０２に対応してよい。ユーザは装置６００に息を吹きつけ、静的雑音（ｓｔａｔｉｃ  ｎｏｉｓｅ）、白色雑音、またはその他の圧力を生成して、ＰＴＴ機能を作動させる。図ではハンズフリー動作のために装置６００をヘッドセット内に取り付けているが、装置６００は、ユーザが装置に圧力を与えることや、静的雑音、白色雑音、またはその他の前もってセットされた可聴信号または音を生成することを容易にする任意の場所にまたは任意の付属品（ａｃｃｅｓｓｏｒｙ）または部品上に取り付けてよい。
【００２６】
本発明の要素はハードウエアで、および／またはソフトウエア（ファームウエア、常駐ソフトウエア、マイクロコードなどを含むコンピュータ・プログラムとして）で実現できる。また、図２，３，５のそれぞれの方法２００，３００，５００などの本発明の要素は、図１の通信装置１００または図４Ａ，４Ｂ，６の装置４００および６００などの、装置またはシステムによりまたはこれらに関して用いられる媒体で実現される、コンピュータが使用可能なまたはコンピュータが読み取り可能なプログラム・コードを有するコンピュータが使用可能なまたはコンピュータが読み取り可能な記憶媒体上でコンピュータ・プログラム製品の形をとってよい。かかる媒体の例は、図１にネットワーク１３４、媒体１２６、記憶装置１３２、または同様の装置で示されている。コンピュータが使用可能なまたは読み取り可能な媒体は、装置またはシステムによりまたはこれらに関して用いられるプログラムを、含み、記憶し、通信し、または転送する任意の媒体でよい。例えば媒体は、電気的、磁気的、光学的、電磁気的、赤外線、または半導体のシステムなどでよい。また媒体は、コンピュータ・プログラム製品をインターネットなどのネットワークを介して「ダウンロード」したときに検索される単なる情報のストリングでよい。またコンピュータが使用可能なまたは読み取り可能な媒体は、プログラムをその上にプリントすることのできる紙またはその他の適当な媒体でよい。
【００２７】
特定の実施の形態についてここに図示して説明したが、当業者が認識するように、図示された特定の実施の形態の代わりに同じ目的を達成するよう考慮された任意の構成を用いてよく、また本発明は別の環境で別のアプリケーションを有してよい。このアプリケーションは本発明の任意の適応や変形をカバーするものである。特許請求の範囲はここに説明した特定の実施の形態に本発明の範囲を限定するものではない。
【図面の簡単な説明】
【００２８】
【図１】本発明の或る実施の形態にかかるハンズフリー・プレス・トーク方式の機能を含む通信装置の一例の略ブロック図である。
【図２】本発明の或る実施の形態にかかるハンズフリー・プレス・トーク方式の機能のための方法の流れ図である。
【図３】本発明の別の実施の形態にかかるハンズフリー・プレス・トーク方式の機能のための方法の流れ図である。
【図４Ａ】本発明の或る実施の形態にかかるヘッドセット内に図に示すように取り付けられたハンズフリー・プレス・トーク方式の動作または機能のための装置の一例である。
【図４Ｂ】図４Ａのハンズフリー・プレス・トーク方式の装置の詳細な図である。
【図５】本発明の別の実施の形態にかかるハンズフリー・プレス・トーク方式の機能のための方法の流れ図である。
【図６】本発明の別の実施の形態にかかるヘッドセット内に図に示すように取り付けられたハンズフリー・プレス・トーク方式の動作または機能のための別の装置の一例である。
【図１】
2007535273.tif 000004
【図２】
2007535273.tif 000005
【図３】
2007535273.tif 000006
【図４Ａ】
2007535273.tif 000007
【図４Ｂ】
2007535273.tif 000008
【図５】
2007535273.tif 000009
【図６】
2007535273.tif 000010
【手続補正書】
【提出日】平成18年2月6日(2006.2.6)
【手続補正１】
【補正対象書類名】特許請求の範囲
【補正対象項目名】全文
【補正方法】変更
【補正の内容】
【特許請求の範囲】
【請求項１】
ハンズフリー・プレス・トーク方式の機能のための装置であって、
プレス・トーク方式のセンサまたはスイッチであって、前記センサまたはスイッチの予め決められた動き、または空気圧の少なくとも１つにより動作し、加速度計および空気感圧スイッチの少なくとも１つを含む、プレス・トーク方式のセンサまたはスイッチと、
前記プレス・トーク方式のセンサまたはスイッチからの信号に応じて通信装置の動作を制御する手段と、
を含む、プレス・トーク方式の機能のための装置。
【請求項２】
前記プレス・トーク方式のセンサまたはスイッチは傾きセンサを含み、所定の継続時間前記傾きセンサが或る標準化された角度から予め決められた角度より大きく傾いたことに応じて前記通信装置の送信モードを起動する、請求項１記載のプレス・トーク方式の機能のための装置。
【請求項３】
選択された時間遅れの後に音声信号を検出したことまたは前記傾きセンサが前記予め決められた角度より大きく傾いたことを検出したことの少なくとも１つに応答して前記通信装置を送信モードに保持するための手段を更に含む、請求項２記載のプレス・トーク方式の機能のための装置。
【請求項４】
選択された時間遅れの後に音声信号を検出したことまたは前記傾きセンサが予め決められた角度より大きく傾いたことを検出したことの少なくとも１つがないことに応答して前記通信装置を受信モードまたは待機モードの一方に切り替えるための手段を更に含む、請求項２記載のプレス・トーク方式の機能のための装置。
【請求項５】
前記プレス・トーク方式のセンサまたはスイッチは可聴信号検出器を含み、前もってセットされた可聴信号を前記可聴信号検出器が検出したことに応答して前記通信装置の送信モードを起動する、請求項１記載のプレス・トーク方式の機能のための装置。
【請求項６】
選択された時間遅れの後に音声信号を検出したことまたは前もってセットされた可聴信号を検出したことの少なくとも１つに応答して前記通信装置を送信モードに保持するための手段を更に備える、請求項５記載のプレス・トーク方式の機能のための装置。
【請求項７】
選択された時間遅れの後に音声信号を検出したことまたは前もってセットされた可聴信号を検出したことの少なくとも１つがないことに応答して前記通信装置を受信モードまたは待機モードの一方に切り替えるための手段を更に含む、請求項５記載のプレス・トーク方式の機能のための装置。
【請求項８】
前もってセットされた空気圧を前記空気感圧スイッチが受けたことに応答して前記通信装置の送信モードを起動する、請求項１記載のプレス・トーク方式の機能のための装置。
【請求項９】
選択された時間遅れの後に音声信号を検出したことまたは前もってセットされた空気圧を検出したことの少なくとも１つに応答して前記通信装置を送信モードに保持するための手段を更に備える、請求項８記載のプレス・トーク方式の機能のための装置。
【請求項１０】
選択された時間遅れの後に音声信号を検出したことまたは前もってセットされた空気圧を検出したことの少なくとも１つがないことに応答して前記通信装置を受信モードまたは待機モードの一方に切り替えるための手段を更に含む、請求項８記載のプレス・トーク方式の機能のための装置。
【請求項１１】
前記通信装置は無線通信装置である、請求項１記載のプレス・トーク方式の機能のための装置。
【請求項１２】
前記通信装置は、ラジオ、携帯電話、コードレス電話、パーソナル・ディジタル・アシスタント、およびコンピュータの１つである、請求項１記載のプレス・トーク方式の機能のための装置。
【請求項１３】
ヘッドセットを更に含み、前記プレス・トーク方式のセンサまたはスイッチを前記ヘッドセットに取り付ける、請求項１記載のプレス・トーク方式の機能のための装置。
【請求項１４】
ハンズフリー・プレス・トーク方式の機能を含む通信装置であって、
プレス・トーク方式のセンサまたはスイッチであって、予め決められた動き、または空気圧の少なくとも１つにより動作し、加速度計および空気感圧スイッチの少なくとも１つを含む、プレス・トーク方式のセンサまたはスイッチと、
前記プレス・トーク方式のセンサまたはスイッチからの信号に応答して前記通信装置の動作を制御するプロセッサと、
を含む通信装置。
【請求項１５】
前記プレス・トーク方式のセンサまたはスイッチは傾きセンサを含み、所定の継続時間前記傾きセンサが或る標準化された角度から予め決められた角度より大きく傾いたことに応答して前記通信装置の送信モードを起動する、請求項１４記載の通信装置。
【請求項１６】
選択された時間遅れの後に音声信号を検出したことまたは前記傾きセンサが前記予め決められた角度より大きく傾いたことを検出したことの少なくとも１つに応答して前記通信装置を送信モードに保持するための手段を更に含む、請求項１５記載の通信装置。
【請求項１７】
前記プレス・トーク方式のセンサまたはスイッチは可聴信号検出器を含み、前もってセットされた可聴信号を前記可聴信号検出器が検出したことに応答して前記通信装置の送信モードを起動する、請求項１４記載の通信装置。
【請求項１８】
前もってセットされた空気圧を前記空気感圧スイッチが受けたことに応答して前記通信装置の送信モードを起動する、請求項１４記載の通信装置。
【請求項１９】
ヘッドセットを更に含み、前記プレス・トーク方式のセンサまたはスイッチを前記ヘッドセットに取り付ける、請求項１４記載の通信装置。
【請求項２０】
ハンズフリー・プレス・トーク方式の機能のための方法であって、
加速度計による予め決められた動きまたは空気圧の少なくとも１つを検出することと、
前記予め決められた動きまたは空気圧を検出したことに応じて通信装置の動作を制御することと、
を含む、プレス・トーク方式の機能のための方法。
【請求項２１】
予め決められた時間中に傾きセンサが或る標準化された角度から予め決められた角度より大きく傾いたことを検出することを更に含む、請求項２０記載のプレス・トーク方式の機能のための方法。
【請求項２２】
所定の継続時間前記傾きセンサが前記標準化された角度から前記予め決められた角度より大きく傾いたことを検出したことに応答して前記通信装置の送信モードを起動することを更に含む、請求項２１記載のプレス・トーク方式の機能のための方法。
【請求項２３】
選択された時間遅れの後に音声信号を検出したことまたは前記傾きセンサが前記予め決められた角度より大きく傾いたことを検出したことの少なくとも１つに応答して前記通信装置を送信モードに保持することと、
前記選択された時間遅れの後に音声信号を検出したことまたは前記傾きセンサが前記予め決められた角度より大きく傾いたことを検出したことの少なくとも１つがないことに応答して前記通信装置を受信モードまたは待機モードの一方に切り替えまたは保持することと、
を更に含む、請求項２１記載のプレス・トーク方式の機能のための方法。
【請求項２４】
前もってセットされた空気圧より大きな空気圧を検出することを更に含む、請求項２０記載のプレス・トーク方式の機能のための方法。
【請求項２５】
前記前もってセットされた空気圧より大きな空気圧を検出したことに応じて前記通信装置内の送信モードを起動することを更に含む、請求項２４記載のプレス・トーク方式の機能のための方法。
【請求項２６】
選択された時間遅れの後に音声信号を検出したことまたは前記前もってセットされた空気圧を検出したことの少なくとも１つに応答して前記通信装置を送信モードに保持することと、
前記選択された時間遅れの後に音声信号または前記前もってセットされた空気圧の少なくとも１つがないことに応答して前記通信装置を受信モードまたは待機モードの一方に切り替えまたは保持することと、
を更に含む、請求項２５記載のプレス・トーク方式の機能のための方法。
【請求項２７】
ハンズフリー・プレス・トーク方式の機能のための装置を製作する方法であって、
センサまたはスイッチの予め決められた動きまたは空気圧の少なくとも１つにより動作するプレス・トーク方式のセンサまたはスイッチを形成し、前記プレス・トーク方式のセンサまたはスイッチは加速度計および空気感圧スイッチの少なくとも１つを形成することと、
前記プレス・トーク方式のセンサまたはスイッチからの信号に応答して通信装置の動作を制御する手段を形成することと、
を含む、装置を製作する方法。
【請求項２８】
前記プレス・トーク方式のセンサまたはスイッチを形成することは、
傾きセンサを形成することと、
前記傾きセンサを適応させて、所定の継続時間前記傾きセンサが或る標準化された角度から予め決められた角度より大きく傾いたことに応答して前記通信装置の送信モードを起動させることと、
を含む、請求項２７記載の装置を製作する方法。
【請求項２９】
前記プレス・トーク方式のセンサまたはスイッチを形成することは、
可聴信号検出器を形成することと、
前記可聴信号検出器を適応させて、前もってセットされた可聴信号を前記可聴信号検出器が検出したことに応答して前記通信装置の送信モードを起動させることと、
を含む請求項２７記載の装置を製作する方法。
【請求項３０】
前記空気感圧スイッチを適応させて、前もってセットされた空気圧を前記空気感圧スイッチが検出したことに応答して前記通信装置の送信モードを起動させることを更に含む、請求項２７記載の装置を製作する方法。
【請求項３１】
ヘッドセットを形成することと、
前記ヘッドセット内に前記プレス・トーク方式のセンサまたはスイッチを取り付けることと、
を更に含む、請求項２７記載の装置を製作する方法。
【請求項３２】
或る方法を実行するためのコンピュータが実行可能な命令を有するコンピュータが読み取り可能な媒体であって、
加速度計からの予め決められた動きまたは空気圧の少なくとも１つを検出することと、
前記前もってセットされた可聴信号、予め決められた動き、または空気圧の少なくとも１つがあるかないかを検出したことに応答して通信装置の動作を制御することと、
を含む、或る方法を実行するためのコンピュータが実行可能な命令を有するコンピュータが読み取り可能な媒体。
【請求項３３】
所定の継続時間傾きセンサが或る標準化された角度から予め決められた角度より大きく傾いたことを検出することを更に含む、請求項３２記載の方法を実行するためのコンピュータが実行可能な命令を有するコンピュータが読み取り可能な媒体。
【請求項３４】
所定の継続時間前記傾きセンサが前記標準化された角度から前記予め決められた角度より大きく傾いたことを検出したことに応答して前記通信装置の送信モードを起動することを更に含む、請求項３３記載の方法を実行するためのコンピュータが実行可能な命令を有するコンピュータが読み取り可能な媒体。
【請求項３５】
選択された時間遅れの後に音声信号を検出したことまたは前記傾きセンサが前記予め決められた角度より大きく傾いたことを検出したことの少なくとも１つに応答して前記通信装置を送信モードに保持することと、
前記選択された時間遅れの後に音声信号を検出したことまたは前記傾きセンサが前記予め決められた角度より大きく傾いたことを検出したことの少なくとも１つがないことに応答して前記通信装置を受信モードまたは待機モードの一方に切り替えまたは保持することと、
を更に含む、請求項３３記載の方法を実行するためのコンピュータが実行可能な命令を有するコンピュータが読み取り可能な媒体。
【請求項３６】
前もってセットされた空気圧より大きな空気圧を検出することを更に含む、請求項３２記載の方法を実行するためのコンピュータが実行可能な命令を有するコンピュータが読み取り可能な媒体。
【請求項３７】
前記前もってセットされた空気圧より大きな空気圧を検出したことに応答して前記通信装置の送信モードを起動することを更に含む、請求項３６記載の方法を実行するためのコンピュータが実行可能な命令を有するコンピュータが読み取り可能な媒体。
【請求項３８】
選択された時間遅れの後に音声信号を検出したことまたは前記前もってセットされた空気圧を検出したことの少なくとも１つに応答して前記通信装置を前記送信モードに保持することと、
前記選択された時間遅れの後に音声信号または前記前もってセットされた空気圧の少なくとも１つがないことに応答して前記通信装置を受信モードまたは待機モードの一方に切り替えまたは保持することと、
を更に含む、請求項３７記載の方法を実行するためのコンピュータが実行可能な命令を有するコンピュータが読み取り可能な媒体。
【国際調査報告】
2007535273.tif 000011
2007535273.tif 000012